(57)【要約】【課題】眼底撮影装置における分解能の高さと実用性との両立を図る。【解決手段】実施形態の眼底撮影装置において、第１光学系は、第１光源から出力された超短パルスレーザ光で眼底を走査し、眼底に照射された超短パルスレーザ光による多光子励起過程によって発生された蛍光を検出する。第１画像形成部は、第１光学系により取得されたデータに基づいて眼底の第１画像を形成する。波面調整部は、超短パルスレーザ光の波面を調整する。第２光学系は、第２光源からの光を測定光と参照光とに分割し、測定光で眼底を走査し、眼底からの測定光の戻り光を参照光と重ね合わせて生成される干渉光を検出する。第２画像形成部は、第２光学系により取得されたデータに基づいて眼底の第２画像を形成する。光路合成部は、超短パルスレーザ光の光路と測定光の光路とを合成する。【選択図】図１
2016041222.tif 000002
【特許請求の範囲】
【請求項１】
第１光源から出力された超短パルスレーザ光で眼底を走査し、前記眼底に照射された前記超短パルスレーザ光による多光子励起過程によって発生された蛍光を検出する第１光学系と、
前記第１光学系により取得されたデータに基づいて前記眼底の第１画像を形成する第１画像形成部と、
前記超短パルスレーザ光の波面を調整する波面調整部と、
第２光源からの光を測定光と参照光とに分割し、前記測定光で前記眼底を走査し、前記眼底からの前記測定光の戻り光を前記参照光と重ね合わせて生成される干渉光を検出する第２光学系と、
前記第２光学系により取得されたデータに基づいて前記眼底の第２画像を形成する第２画像形成部と、
前記超短パルスレーザ光の光路と前記測定光の光路とを合成する光路合成部と
を備える眼底撮影装置。
【請求項２】
前記第１光学系による前記超短パルスレーザ光の走査範囲と前記第２光学系による前記測定光の走査範囲とに基づいて、前記第１画像と前記第２画像とを位置的に対応付けて表示手段に表示する表示制御部を備える
ことを特徴とする請求項１に記載の眼底撮影装置。
【請求項３】
前記表示制御部は、前記第１画像と前記第２画像とを重ねて表示させる
ことを特徴とする請求項２に記載の眼底撮影装置。
【請求項４】
前記表示制御部は、前記第１画像および前記第２画像の一方の画像に描出されている範囲を表す描出範囲情報を他方の画像とともに表示させる
ことを特徴とする請求項２に記載の眼底撮影装置。
【請求項５】
前記表示手段に表示されている前記第１画像および前記第２画像の一方の画像中の位置を指定するための操作部を備え、
前記操作部により前記一方の画像中の位置が指定されたときに、前記表示制御部は、当該指定位置に対応する他方の画像中の位置を表す対応位置情報を前記他方の画像とともに表示させる
ことを特徴とする請求項２に記載の眼底撮影装置。
【請求項６】
前記第１光学系は、前記眼底の第１領域を前記超短パルスレーザ光で走査し、
前記第２光学系は、前記第１領域を含む第２領域を前記測定光で走査する
ことを特徴とする請求項２〜請求項５のいずれか一項に記載の眼底撮影装置。
【請求項７】
前記第２画像形成部により形成された前記第２画像を表示手段に表示させる表示制御部と、
前記表示手段に表示されている前記第２画像中の部分領域を指定するための操作部と
を備え、
前記第１光学系は、前記操作部を用いて指定された前記部分領域に相当する前記眼底の領域を前記超短パルスレーザ光で走査する
ことを特徴とする請求項１に記載の眼底撮影装置。
【請求項８】
前記第２画像形成部により形成された前記第２画像を解析することにより前記第２画像中の部分領域を指定する領域指定部を備え、
前記第１光学系は、前記領域指定部により指定された前記部分領域に相当する前記眼底の領域を前記超短パルスレーザ光で走査する
ことを特徴とする請求項１に記載の眼底撮影装置。
【請求項９】
前記第２光学系は、既定の走査パターンでの前記測定光の走査を反復的に実行し、
前記第２画像形成部は、当該反復的な走査において前記第２光学系より逐次に取得されるデータに基づく時系列画像を前記第２画像として生成し、
前記時系列画像を解析することにより前記被検眼の変位を算出する変位算出部を備える
ことを特徴とする請求項１〜請求項８のいずれか一項に記載の眼底撮影装置。
【請求項１０】
前記眼底または前眼部を動画撮影する撮影部と、
前記撮影部により取得された動画像を解析することにより前記被検眼の変位を算出する変位算出部と
を備える
ことを特徴とする請求項１〜請求項８のいずれか一項に記載の眼底撮影装置。
【請求項１１】
前記第１光学系および前記第２光学系を含む光学ユニットを移動するための移動機構と、
前記変位算出部により算出された前記変位に基づいて前記移動機構を制御する移動制御部と
を備える
ことを特徴とする請求項９または請求項１０に記載の眼底撮影装置。
【請求項１２】
前記変位算出部により算出された前記変位に基づいて前記第１光学系による前記超短パルスレーザ光の走査位置を変更する走査制御部を備える
ことを特徴とする請求項９または請求項１０に記載の眼底撮影装置。
【請求項１３】
前記波面調整部は、前記超短パルスレーザ光の波面の調整に加えて、前記測定光の波面の調整を行う
ことを特徴とする請求項１〜請求項１２のいずれか一項に記載の眼底撮影装置。
【請求項１４】
光刺激のための光を前記眼底に照射する照射光学系を備える
ことを特徴とする請求項１〜請求項１３のいずれか一項に記載の眼底撮影装置。
【請求項１５】
光凝固のための光を前記眼底に照射する照射光学系を備える
ことを特徴とする請求項１〜請求項１３のいずれか一項に記載の眼底撮影装置。
【請求項１６】
前記照射光学系は、前記光を偏向する偏向部を含み、
前記第１画像および前記第２画像の少なくとも一方に基づいて照射目標を設定する設定部と、
前記設定部により設定された前記照射目標に基づいて前記偏向部を制御する照射制御部と
を備える
ことを特徴とする請求項１４または請求項１５に記載の眼底撮影装置。
【請求項１７】
前記照射光学系は、前記光の焦点位置を変更する焦点移動部を含み、
前記照射制御部は、前記設定部により設定された前記照射目標に基づいて前記焦点移動部を制御する
ことを特徴とする請求項１６に記載の眼底撮影装置。
【発明の詳細な説明】
【技術分野】
【０００１】
この発明は眼底撮影装置に関する。
【背景技術】
【０００２】
眼底撮影においては、網膜層や視神経乳頭の形状の把握を目的とするものが主流である。このような眼底撮影には、眼底カメラ、走査型レーザ検眼鏡（ＳＬＯ）、光干渉断層計（ＯＣＴ装置）などが用いられる（たとえば特許文献１〜３を参照）。
【０００３】
近年、眼底撮影技術において様々な進展が見られる。たとえば、補償光学を適用することにより細胞レベルの高分解能での画像化が実現されている（たとえば特許文献４を参照）。また、フェムト秒パルスレーザ光（超短パルスレーザ光）による多光子励起過程（多光子吸収過程）を利用することにより光軸方向（深さ方向）の分解能が向上された眼底撮影装置も提案されている（たとえば特許文献５、６を参照）。この技術によれば、焦点位置を走査することで高解像度の３次元眼底画像が得られる。
【先行技術文献】
【特許文献】
【０００４】
【特許文献１】特開２０１１−１２５４６３号公報
【特許文献２】特開２００８−１５４９５１号公報
【特許文献３】特開２００９−８９７９２号公報
【特許文献４】特開２０１３−１５４０６３号公報
【特許文献５】特開２０１０−５７８９６号公報
【特許文献６】特開２０１２−１８７２５２号公報
【発明の概要】
【発明が解決しようとする課題】
【０００５】
多光子励起過程を利用したＳＬＯ（多光子励起ＳＬＯ）において高い分解能を確保するためには物体側開口数（物体側ＮＡ）を高くする必要がある。しかし、物体側ＮＡの増大は横倍率の増大につながるため、十分な撮影範囲を確保することが困難になる。すなわち、多光子励起ＳＬＯにおいて、分解能の高さと撮影範囲の広さとは互いにトレードオフの関係にある。撮影範囲が狭くなると、対象部位（特定組織、疾患部など）を指定して撮影を行うことや、撮影画像が眼底のどの位置に相当するか把握することが困難になり、実用上の問題が生じる。
【０００６】
この発明の目的は、眼底撮影装置における分解能の高さと実用性との両立を図ることにある。
【課題を解決するための手段】
【０００７】
請求項１に記載の発明は、第１光源から出力された超短パルスレーザ光で眼底を走査し、前記眼底に照射された前記超短パルスレーザ光による多光子励起過程によって発生された蛍光を検出する第１光学系と、前記第１光学系により取得されたデータに基づいて前記眼底の第１画像を形成する第１画像形成部と、前記超短パルスレーザ光の波面を調整する波面調整部と、第２光源からの光を測定光と参照光とに分割し、前記測定光で前記眼底を走査し、前記眼底からの前記測定光の戻り光を前記参照光と重ね合わせて生成される干渉光を検出する第２光学系と、前記第２光学系により取得されたデータに基づいて前記眼底の第２画像を形成する第２画像形成部と、前記超短パルスレーザ光の光路と前記測定光の光路とを合成する光路合成部とを備える眼底撮影装置である。
請求項２に記載の発明は、請求項１に記載の眼底撮影装置であって、前記第１光学系による前記超短パルスレーザ光の走査範囲と前記第２光学系による前記測定光の走査範囲とに基づいて、前記第１画像と前記第２画像とを位置的に対応付けて表示手段に表示する表示制御部を備えることを特徴とする。
請求項３に記載の発明は、請求項２に記載の眼底撮影装置であって、前記表示制御部は、前記第１画像と前記第２画像とを重ねて表示させることを特徴とする。
請求項４に記載の発明は、請求項２に記載の眼底撮影装置であって、前記表示制御部は、前記第１画像および前記第２画像の一方の画像に描出されている範囲を表す描出範囲情報を他方の画像とともに表示させることを特徴とする。
請求項５に記載の発明は、請求項２に記載の眼底撮影装置であって、前記表示手段に表示されている前記第１画像および前記第２画像の一方の画像中の位置を指定するための操作部を備え、前記操作部により前記一方の画像中の位置が指定されたときに、前記表示制御部は、当該指定位置に対応する他方の画像中の位置を表す対応位置情報を前記他方の画像とともに表示させることを特徴とする。
請求項６に記載の発明は、請求項２〜請求項５のいずれか一項に記載の眼底撮影装置であって、前記第１光学系は、前記眼底の第１領域を前記超短パルスレーザ光で走査し、前記第２光学系は、前記第１領域を含む第２領域を前記測定光で走査することを特徴とする。
請求項７に記載の発明は、請求項１に記載の眼底撮影装置であって、前記第２画像形成部により形成された前記第２画像を表示手段に表示させる表示制御部と、前記表示手段に表示されている前記第２画像中の部分領域を指定するための操作部とを備え、前記第１光学系は、前記操作部を用いて指定された前記部分領域に相当する前記眼底の領域を前記超短パルスレーザ光で走査することを特徴とする。
請求項８に記載の発明は、請求項１に記載の眼底撮影装置であって、前記第２画像形成部により形成された前記第２画像を解析することにより前記第２画像中の部分領域を指定する領域指定部を備え、前記第１光学系は、前記領域指定部により指定された前記部分領域に相当する前記眼底の領域を前記超短パルスレーザ光で走査することを特徴とする。
請求項９に記載の発明は、請求項１〜請求項８のいずれか一項に記載の眼底撮影装置であって、前記第２光学系は、既定の走査パターンでの前記測定光の走査を反復的に実行し、前記第２画像形成部は、当該反復的な走査において前記第２光学系より逐次に取得されるデータに基づく時系列画像を前記第２画像として生成し、前記時系列画像を解析することにより前記被検眼の変位を算出する変位算出部を備えることを特徴とする。
請求項１０に記載の発明は、請求項１〜請求項８のいずれか一項に記載の眼底撮影装置であって、前記眼底または前眼部を動画撮影する撮影部と、前記撮影部により取得された動画像を解析することにより前記被検眼の変位を算出する変位算出部とを備えることを特徴とする。
請求項１１に記載の発明は、請求項９または請求項１０に記載の眼底撮影装置であって、前記第１光学系および前記第２光学系を含む光学ユニットを移動するための移動機構と、前記変位算出部により算出された前記変位に基づいて前記移動機構を制御する移動制御部とを備えることを特徴とする。
請求項１２に記載の発明は、請求項９または請求項１０に記載の眼底撮影装置であって、前記変位算出部により算出された前記変位に基づいて前記第１光学系による前記超短パルスレーザ光の走査位置を変更する走査制御部を備えることを特徴とする。
請求項１３に記載の発明は、請求項１〜請求項１２のいずれか一項に記載の眼底撮影装置であって、前記波面調整部は、前記超短パルスレーザ光の波面の調整に加えて、前記測定光の波面の調整を行うことを特徴とする。
請求項１４に記載の発明は、請求項１〜請求項１３のいずれか一項に記載の眼底撮影装置であって、光刺激のための光を前記眼底に照射する照射光学系を備えることを特徴とする。
請求項１５に記載の発明は、請求項１〜請求項１３のいずれか一項に記載の眼底撮影装置であって、光凝固のための光を前記眼底に照射する照射光学系を備えることを特徴とする。
請求項１６に記載の発明は、請求項１４または請求項１５に記載の眼底撮影装置であって、前記照射光学系は、前記光を偏向する偏向部を含み、前記第１画像および前記第２画像の少なくとも一方に基づいて照射目標を設定する設定部と、前記設定部により設定された前記照射目標に基づいて前記偏向部を制御する照射制御部とを備えることを特徴とする。
請求項１７に記載の発明は、請求項１６に記載の眼底撮影装置であって、前記照射光学系は、前記光の焦点位置を変更する焦点移動部を含み、前記照射制御部は、前記設定部により設定された前記照射目標に基づいて前記焦点移動部を制御することを特徴とする。
【発明の効果】
【０００８】
この発明によれば、眼底撮影装置における分解能の高さと実用性との両立を図ることが可能である。
【図面の簡単な説明】
【０００９】
【図１】実施形態に係る眼底撮影装置の構成の一例を表す概略図である。
【図２】実施形態に係る眼底撮影装置の構成の一例を表す概略図である。
【図３Ａ】実施形態に係る眼底撮影装置の構成の一例を表す概略ブロック図である。
【図３Ｂ】実施形態に係る眼底撮影装置の構成の一例を表す概略ブロック図である。
【図４Ａ】実施形態に係る眼底撮影装置の動作を説明するための概略図である。
【図４Ｂ】実施形態に係る眼底撮影装置の動作を説明するための概略図である。
【図４Ｃ】実施形態に係る眼底撮影装置の動作を説明するための概略図である。
【図５Ａ】実施形態に係る眼底撮影装置の動作を説明するための概略図である。
【図５Ｂ】実施形態に係る眼底撮影装置の動作を説明するための概略図である。
【図６】実施形態に係る眼底撮影装置の動作例を表すフローチャートである。
【図７】実施形態に係る眼底撮影装置の動作例を表すフローチャートである。
【図８】実施形態に係る眼底撮影装置の動作例を表すフローチャートである。
【図９】変形例に係る眼底撮影装置の構成の一例を表す概略ブロック図である。
【図１０】変形例に係る眼底撮影装置の動作例を表すフローチャートである。
【図１１】変形例に係る眼底撮影装置の構成の一例を表す概略ブロック図である。
【図１２】実施形態に係る眼底撮影装置の構成の一例を表す概略図である。
【図１３】実施形態に係る眼底撮影装置の構成の一例を表す概略図である。
【図１４】実施形態に係る眼底撮影装置の構成の一例を表す概略ブロック図である。
【発明を実施するための形態】
【００１０】
この発明の実施形態の一例について、図面を参照しながら詳細に説明する。実施形態の眼底撮影装置は、多光子励起ＳＬＯおよびＯＣＴとして機能する。また、実施形態の眼底撮影装置は、少なくとも多光子励起ＳＬＯに関する補償光学の機能を備えている。この明細書において、ＳＬＯによって取得される画像をＳＬＯ画像と総称することがある。同様に、ＯＣＴによって取得される画像をＯＣＴ画像と総称することがある。この明細書において、「画像データ」と、それに基づく「画像」とを同一視することがある。また、この明細書において、「ＳＬＯ」、「ＯＣＴ」等の用語は、装置種別および撮影手法の双方を表すこととする。この明細書において引用されている文献に記載された任意の事項を実施形態に援用することが可能である。
【００１１】
実施形態に適用されるＯＣＴの種別は任意である。たとえば、スペクトラルドメインＯＣＴまたはスウェプトソースＯＣＴを適用できる。また、実施形態の眼底撮影装置は、多光子励起ＳＬＯおよびＯＣＴ以外の機能をさらに備えていてもよい。たとえば、網膜に光刺激を与えるための機能や、眼底のレーザ治療を行うための機能を設けることが可能である。
【００１２】
〈第１の実施形態〉
［構成］
図１に示す眼底撮影装置１は、ＳＬＯ光学系１０と、ＯＣＴ光学系１００と、演算制御部２００と、ユーザインターフェイス（ＵＩ）３００とを備える。ＳＬＯ光学系１０は、被検眼Ｅの眼底ＥｆのＳＬＯ画像を取得するための構成を有する。ＯＣＴ光学系１００は、眼底ＥｆのＯＣＴ画像を取得するための構成を有する。演算制御部２００は、各種の演算処理や制御処理を実行する。ユーザインターフェイス３００は、情報を出力する機能と、情報を入力するための機能とを備える。
【００１３】
〔ＳＬＯ光学系１０〕
ＳＬＯ光学系１０は、眼底Ｅｆの多光子励起ＳＬＯを行うための構成を有する。すなわち、ＳＬＯ光学系１０は、超短パルスレーザ光で眼底Ｅｆを走査し、眼底Ｅｆに照射された超短パルスレーザ光による多光子励起過程によって発生された蛍光を検出する。この多光子励起過程は、たとえば２光子励起過程（２光子吸収過程）である。
【００１４】
ＳＬＯ光学系１０は、超短パルスレーザ光を眼底Ｅｆに入射するための入射光学系と、超短パルスレーザ光により発生された蛍光を検出するための検出光学系とを含む。超短パルスレーザ光は、超短パルスレーザ光の焦点を３次元的に走査可能に構成される。超短パルスレーザ光の焦点領域において多光子励起過程が生じて蛍光が発せられる。この蛍光は検出光学系により検出される。このような蛍光の発生および検出を焦点を走査しつつ繰り返し実行することにより、焦点が走査された領域の画像が得られる。
【００１５】
入射光学系は、ＳＬＯ光源１１と、絞り（ピンホール）１２と、レンズ１３と、偏光ビームスプリッタ１４と、ＸＹＺスキャナ１５と、中心反射ミラー１６と、対物レンズ１９を含む。入射光学系の光路には、波面調整器１７と、ダイクロイックミラー１８とが設けられている。波面調整器１７は、中心反射ミラー１６と対物レンズ１９との間に設けられ、かつ、ダイクロイックミラー１８は、波面調整器１７と対物レンズ１９との間に設けられている。
【００１６】
検出光学系は、対物レンズ１９と、絞り（ピンホール）２０と、ダイクロイックミラー２１とを含む。ダイクロイックミラー２１は、検出光学系の光路を２つに分岐させる。分岐された一方の光路（ダイクロイックミラー２１を透過する側の光路）には、λ／４板２２Ａと、偏光ビームスプリッタ２３Ａと、レンズ２４Ａと、検出器２５Ａとが設けられている。分岐された他方の光路にも同様に、λ／４板２２Ｂと、偏光ビームスプリッタ２３Ｂと、レンズ２４Ｂと、検出器２５Ｂとが設けられている。
【００１７】
ＳＬＯ光源１１は、超短パルスレーザ光を出力するフェムト秒パルスレーザ光源である。超短パルスレーザ光は、たとえば、６５０〜１１００ｎｍの範囲内における既定の波長と、２００ｆｓ以下の既定のパルス幅を有する。ＳＬＯ光源１１から出力された超短パルスレーザ光の一部は絞り１２を通過する。絞り１２を通過した超短パルスレーザ光は、レンズ１３を経て偏光ビームスプリッタ１４に到達する。偏光ビームスプリッタ１４は、超短パルスレーザ光の既定の偏光成分を選択的に通過させる。なお、偏光ビームスプリッタ１４の代わりに任意の偏光子を用いることができる。偏光ビームスプリッタ１４を通過した超短パルスレーザ光はＸＹＺスキャナ１５に到達する。
【００１８】
ＸＹＺスキャナ１５は、超短パルスレーザ光の焦点を３次元的に変更するための構成を有する。なお、Ｚ方向はＳＬＯ光学系１０の光軸に沿う方向を示し、Ｙ方向はＺ方向に直交する一の方向を示し、Ｘ方向はＹＺ平面に直交する方向を示す。この実施形態では、対物レンズ１９から被検眼Ｅに向かう方向を＋Ｚ方向とし、上方向をＹ方向とし、被検者の左眼から右眼に向かう方向をＸ方向とする。ＸＹＺスキャナ１５は、たとえば、ＸＹスキャナと、Ｚスキャナとを含む。ＸＹスキャナは、超短パルスレーザ光をＸ方向およびＹ方向に偏向する。ＸＹスキャナは、たとえば、互いに直交する一対の１軸偏向ミラー、または２軸偏向ミラーを含む。偏向ミラーとしては、ガルバノミラー、ＭＥＭＳミラー、レゾナントミラー、ポリゴンミラーなどが用いられる。Ｚスキャナは、超短パルスレーザ光の焦点をＺ方向に移動する。Ｚスキャナは、たとえば、入射光学系の光軸に沿って移動可能なレンズ（合焦レンズ、焦点移動レンズ）を含む。
【００１９】
ＸＹＺスキャナ１５による作用を受けた超短パルスレーザ光は、中心反射ミラー１６に到達する。中心反射ミラー１６は、入射光学系の光路と検出光学系の光路とを分岐させる。中心反射ミラー１６は、その中心領域のみに反射機能を有する。すなわち、中心反射ミラー１６は、入射光学系により導かれる超短パルスレーザ光を反射し、かつ、検出光学系により導かれる光（被検眼Ｅからの超短パルスレーザ光の戻り光、つまり多光子励起過程により発生した蛍光）を通過させる。
【００２０】
中心反射ミラー１６により反射された超短パルスレーザ光は、波面調整器１７に到達する。波面調整器１７は、たとえば、形状可変ミラーを含む。形状可変ミラーは、反射面の形状を任意に変更可能な光学部材である。超短パルスレーザ光は、形状可変ミラーにより反射されることにより、反射面の形状に応じた波面の変形を受ける。この実施形態では、検出器２５Ａ（または検出器２５Ｂ）による検出結果のフィードバックを受けて波面調整器１７の制御が行われる（すなわち、波面補償が行われる）。なお、波面調整器１７の構成は形状可変ミラーを含むものには限定されず、たとえば液晶波面変調器を具備する構成であってもよい。
【００２１】
波面調整器１７を通過した超短パルスレーザ光は、ダイクロイックミラー１８を透過し、対物レンズ１９により屈折されて被検眼Ｅに入射する。被検眼Ｅに入射した超短パルスレーザ光は、ＸＹＺスキャナ１５により規定された位置に焦点を形成する。この実施形態では、眼底Ｅｆの任意の位置に焦点が形成される。
【００２２】
超短パルスレーザ光の焦点において発生した蛍光は、被検眼Ｅを出射し、対物レンズ１９とダイクロイックミラー１８とを経由し、波面調整器１７によって波面が変形される。波面調整器１７による作用を受けた蛍光は、中心反射ミラー１６の周辺部（反射機能を有しない部位）を通過して絞り２０に到達する。
【００２３】
絞り２０を通過した蛍光は、ダイクロイックミラー２１に到達する。ダイクロイックミラー２１は、特定の波長帯の光を反射し、その他の波長の光を透過させる。ダイクロイックミラー２１を透過した蛍光は、λ／４板２２Ａおよび偏光ビームスプリッタ２３Ａを通過し、レンズ２４Ａにより集光され、検出器２５Ａにより検出される。一方、ダイクロイックミラー２１により反射された蛍光は、λ／４板２２Ｂおよび偏光ビームスプリッタ２３Ｂを通過し、レンズ２４Ｂにより集光され、検出器２５Ｂにより検出される。
【００２４】
λ／４板２２Ａおよび偏光ビームスプリッタ２３Ａ（λ／４板２２Ｂおよび偏光ビームスプリッタ２３Ｂ）は、偏光ビームスプリッタ１４とともに、被検眼Ｅの角膜による正反射が検出されることを防止するよう機能する。具体的には、偏光ビームスプリッタ１４が通過させる光の偏光方向と、λ／４板２２Ａおよび偏光ビームスプリッタ２３Ａの組み合わせが通過させる偏光方向とが、互いに直交するように構成されている。
【００２５】
この実施形態は、蛍光の異なる波長成分を２つの検出器２５Ａおよび２５Ｂで検出する構成であるが、単一の検出器により蛍光を検出する構成でもよい。この場合、検出光学系の光路を分岐させるためのダイクロイックミラー等のビームスプリッタは不要である。検出器としては、たとえば、光電子増倍管、ＣＣＤイメージセンサ、またはＣＭＯＳイメージセンサが用いられる。
【００２６】
〔ＯＣＴ光学系１００〕
ＯＣＴ光学系１００は、眼底Ｅｆの光コヒーレンストモグラフィ（ＯＣＴ）を行うための構成を有する。すなわち、ＯＣＴ光学系１００は、測定光で眼底Ｅｆを走査し、眼底Ｅｆからの測定光の戻り光を参照光と重ね合わせて生成される干渉光を検出する。
【００２７】
ＯＣＴ光学系１００の構成の一例を図２に示す。ＯＣＴ光学系１００は、従来のスウェプトソースＯＣＴと同様の構成を有する。すなわち、ＯＣＴ光学系１００は、波長走査型（波長掃引型）光源からの光を測定光と参照光とに分割し、被検眼Ｅからの測定光の戻り光と参照光路を経由した参照光とを干渉させて干渉光を生成し、この干渉光を検出する干渉光学系１００ａを含む。さらに、ＯＣＴ光学系１００は、測定光を３次元的に走査するためのＸＹＺスキャナ４０を含む。干渉光学系１００ａによる干渉光の検出結果（検出信号）は、干渉光のスペクトルを示す信号であり、演算制御部２００に送られる。
【００２８】
光源ユニット１０１は、一般的なスウェプトソースタイプのＯＣＴ装置と同様に、出射光の波長を走査（掃引）可能な波長走査型（波長掃引型）光源を含んで構成される。光源ユニット１０１は、近赤外の波長帯（走査レンジ）において、出力波長を時間的に変化させる。波長走査型光源は、垂直共振器面発光レーザ（ＶＣＳＥＬ）やフーリエドメインモードロッキング（ＦＤＭＬ）レーザなどの高速・高深達光源であってもよい。
【００２９】
光源ユニット１０１から出力された光Ｌ０は、光ファイバ１０２により偏波コントローラ１０３に導かれてその偏光状態が調整される。偏波コントローラ１０３は、たとえばループ状にされた光ファイバ１０２に対して外部から応力を与えることで、光ファイバ１０２内を導かれる光Ｌ０の偏光状態を調整する。
【００３０】
偏波コントローラ１０３により偏光状態が調整された光Ｌ０は、光ファイバ１０４によりファイバカプラ１０５に導かれて測定光ＬＳと参照光ＬＲとに分割される。
【００３１】
参照光ＬＲは、光ファイバ１１０によりコリメータ１１１に導かれて平行光束となる。平行光束となった参照光ＬＲは、光路長補正部材１１２および分散補償部材１１３を経由し、コーナーキューブ１１４に導かれる。光路長補正部材１１２は、参照光ＬＲの光路長（光学距離）と測定光ＬＳの光路長とを合わせるための遅延手段として作用する。分散補償部材１１３は、参照光ＬＲと測定光ＬＳとの間の分散特性を合わせるための分散補償手段として作用する。
【００３２】
コーナーキューブ１１４は、コリメータ１１１により平行光束となった参照光ＬＲの進行方向を逆方向に折り返す。コーナーキューブ１１４に入射する参照光ＬＲの光路と、コーナーキューブ１１４から出射する参照光ＬＲの光路とは平行である。また、コーナーキューブ１１４は、参照光ＬＲの入射光路および出射光路に沿う方向に移動可能とされている。この移動により参照光ＬＲの光路の長さが変更される。なお、コーナーキューブ１１４の移動は、後述の光路長変更機構１１４Ａにより行われる（図３Ａを参照）。
【００３３】
この実施形態においては、参照光ＬＲの光路（参照光路、参照アーム）の長さを変更するための構成が設けられているが、測定光ＬＳの光路（測定光路、測定アーム）の長さを変更するための構成が設けられていてもよい。
【００３４】
コーナーキューブ１１４を経由した参照光ＬＲは、分散補償部材１１３および光路長補正部材１１２を経由し、コリメータ１１６によって平行光束から集束光束に変換されて光ファイバ１１７に入射し、偏波コントローラ１１８に導かれて参照光ＬＲの偏光状態が調整される。
【００３５】
偏波コントローラ１１８は、たとえば、偏波コントローラ１０３と同様の構成を有する。偏波コントローラ１１８により偏光状態が調整された参照光ＬＲは、光ファイバ１１９によりアッテネータ１２０に導かれて、演算制御部２００の制御の下で光量が調整される。アッテネータ１２０により光量が調整された参照光ＬＲは、光ファイバ１２１によりファイバカプラ１２２に導かれる。
【００３６】
一方、ファイバカプラ１０５により生成された測定光ＬＳは、光ファイバ１２７により導かれ、図示しないコリメータレンズにより平行光束とされる。平行光束にされた測定光ＬＳは、ＸＹＺスキャナ４０に導かれる。
【００３７】
ＸＹＺスキャナ４０は、ＳＬＯ光学系１０のＸＹＺスキャナ１５と同様に、ＸＹスキャナと、Ｚスキャナとを含む構成であってよい。ＸＹスキャナは、測定光ＬＳをＸ方向およびＹ方向に偏向し、たとえば、互いに直交する一対の１軸偏向ミラー、または２軸偏向ミラーを含む。偏向ミラーとしては、ガルバノミラー、ＭＥＭＳミラー、レゾナントミラー、ポリゴンミラーなどが用いられる。Ｚスキャナは、測定光ＬＳの焦点（ビームウェスト）をＺ方向に移動する。Ｚスキャナは、たとえば、測定光ＬＳを導く光学系の光軸に沿って移動可能なレンズ（合焦レンズ、焦点移動レンズ）を含む。ＸＹＺスキャナ４０を通過した測定光ＬＳは、ダイクロイックミラー１８により反射され、対物レンズ１９により屈折されて眼底Ｅｆに照射される。測定光ＬＳは、眼底Ｅｆの様々な深さ位置において散乱（反射を含む）される。このような後方散乱光を含む測定光ＬＳの戻り光は、往路と同じ経路を逆向きに進行してファイバカプラ１０５に導かれ、光ファイバ１２８を経由してファイバカプラ１２２に到達する。
【００３８】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、生成された干渉光を所定の分岐比（たとえば１：１）で分岐することにより、一対の干渉光ＬＣを生成する。ファイバカプラ１２２から出射した一対の干渉光ＬＣは、それぞれ光ファイバ１２３、１２４により検出器１２５に導かれる。
【００３９】
検出器１２５は、たとえば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１２５は、その検出結果（検出信号）を演算制御部２００に送る。演算制御部２００は、たとえば一連の波長走査毎に（Ａライン毎に）、検出器１２５により得られた検出結果に基づくスペクトル分布にフーリエ変換等を施すことにより、各Ａラインにおける反射強度プロファイルを形成する。さらに、演算制御部２００は、各Ａラインプロファイルを画像化することにより画像データを形成する。
【００４０】
この実施形態ではマイケルソン型の干渉光学系を採用しているが、たとえばマッハツェンダー型など任意のタイプの干渉光学系を採用することが可能である。また、この実施形態ではスウェプトソースＯＣＴを用いているが、他のタイプのＯＣＴを適用することも可能である。たとえばスペクトラルドメインＯＣＴが適用される場合、スーパールミネセントダイオード（ＳＬＤ）等の低コヒーレンス光源（広帯域光源）が用いられ、かつ、分光器によって干渉光のスペクトル分布が検出される。演算制御部２００は、このスペクトル分布にフーリエ変換等を施すことにより、各Ａラインにおける反射強度プロファイルを形成し、各Ａラインプロファイルを画像化することにより画像データを形成する。
【００４１】
〔演算制御部２００〕
演算制御部２００について説明する。演算制御部２００を中心とする制御系の構成の一例を図３Ａおよび図３Ｂに示す。演算制御部２００は、制御部２１０と、ＳＬＯ画像形成部２２０と、ＯＣＴ画像形成部２３０と、データ処理部２４０とを含む。
【００４２】
演算制御部２００は、たとえば、従来のコンピュータと同様に、マイクロプロセッサ、ＲＡＭ、ＲＯＭ、ハードディスクドライブ、通信インターフェイスなどを含んで構成される。ハードディスクドライブ等の記憶装置には、眼底撮影装置１を制御するためのコンピュータプログラムが記憶されている。演算制御部２００は、ＳＬＯ画像を形成するための回路基板や、ＯＣＴ画像を形成するための回路基板などを備えていてもよい。
【００４３】
（制御部２１０）
制御部２１０は、眼底撮影装置１の各部を制御する。たとえば、ＳＬＯ光学系１０の制御として、演算制御部２１０は、ＳＬＯ光源１１と、ＸＹＺスキャナ１５と、波面調整器１７と、検出器２５Ａおよび２３Ｂとを制御する。また、ＯＣＴ光学系１００の制御として、演算制御部２１０は、ＸＹＺスキャナ４０と、光源ユニット１０１と、光路長変更機構１１４Ａと、検出器１２５とを制御する。なお、光路長変更機構１１４Ａは、図２に示すコーナーキューブ１１４を移動する。また、演算制御部２１０は、ユーザインターフェイス３００（表示部３１０等）の制御や、ユーザインターフェイス３００（操作部３２０等）からの操作信号に応じた眼底撮影装置１の制御を行う。
【００４４】
図３Ｂに示すように、制御部２１０は、表示制御部２１１と、走査制御部２１２と、波面調整制御部２１３とを含む。表示制御部２１１は、ユーザインターフェイス３００の表示部３１０の制御を行う。つまり、表示制御部２１１は、表示部３１０に情報を表示させる。走査制御部２１２は、ＳＬＯ光学系１０のＸＹＺスキャナ１５と、ＯＣＴ光学系１００のＸＹＺスキャナ４０とを制御する。
【００４５】
波面調整制御部２１３は、ＳＬＯ光学系１０の検出器２５Ａ（および／または検出器２５Ｂ）からの出力に基づいて波面調整器１７を制御する。この制御（補償光学制御）の例を説明する。検出器２５Ａが光電子増倍管である場合、波面調整制御部２１３は、検出器２５Ａからの出力信号が最大となるように波面調整器１７の制御を行う。或いは、ＣＣＤイメージセンサやＣＭＯＳイメージセンサ等のエリアセンサが検出器２５Ａとして用いられる場合、波面調整制御部２１３は、検出器２５Ａに投影される像の面積が最小となり、かつ投影像の中心部の輝度が最大となるように波面調整器１７の制御を行う。このような制御により、多光子励起過程により発生される蛍光の検出強度が最大化されるように超短パルスレーザ光の波面や蛍光の波面が調整される。
【００４６】
（ＳＬＯ画像形成部２２０）
ＳＬＯ画像形成部２２０は、検出器２５Ｂ（および／または検出器２５Ａ）から出力される検出信号に基づいてＳＬＯ画像を形成する。この処理は従来と同様であってよい。すなわち、ＳＬＯ画像形成部２２０は、ＸＹＺスキャナ１５による走査にしたがって検出器２５Ｂから順次に出力される検出信号を走査位置に対応付けることにより、各走査位置に対応する画素に、対応する検出信号の強度に応じた画素値（輝度値等）を割り当てる。ＳＬＯ画像の例として、２次元正面画像（網膜表面画像）、２次元断面像、３次元画像などがある。
【００４７】
（ＯＣＴ画像形成部２３０）
ＯＣＴ画像形成部２３０は、検出器１２５から出力される検出信号に基づいてＯＣＴ画像を形成する。この処理には、従来のスウェプトソースＯＣＴと同様に、ジッター補正、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれる。他のタイプのＯＣＴ装置の場合、ＯＣＴ画像形成部２３０は、そのタイプに応じた公知の処理を実行する。ＯＣＴ画像の例として、２次元断面像、３次元画像などがある。
【００４８】
（データ処理部２４０）
データ処理部２４０は、各種のデータ処理を実行する。たとえば、データ処理部２４０は、ＳＬＯ画像やＯＣＴ画像に対して画像処理や解析処理を施す。画像処理の例として、輝度補正、分散補正、強調処理などがある。また、解析処理の例として、所望の組織（層組織等）を特定する処理（セグメンテーション）や、層厚、血管径、血流情報、病変分布等の評価情報を求める処理などがある。
【００４９】
ＳＬＯ画像やＯＣＴ画像として３次元画像が得られた場合、データ処理部２４０は、この３次元画像に任意に設定される断面を表す画像を形成することができる。また、データ処理部２４０は、３次元画像の任意の部分画像を抽出することができる。
【００５０】
データ処理部２４０は、ＳＬＯ画像形成部２２０により形成されたＳＬＯ画像から他の画像を形成する処理や、ＯＣＴ画像形成部２３０により形成されたＯＣＴ画像から他の画像を形成する処理を実行できる。たとえば、３次元画像を深さ方向（Ｚ方向）に投影することにより、２次元正面画像（プロジェクション画像）を形成することができる。また、３次元画像の部分領域（たとえば１以上の層組織）を投影することにより、２次元正面画像（シャドウグラム）を形成することができる。
【００５１】
データ処理部２４０は、領域指定部２４１と、変位算出部２４２とを含む。
【００５２】
（領域指定部２４１）
領域指定部２４１は、ＯＣＴ画像形成部２３０により形成されたＯＣＴ画像を解析することにより、このＯＣＴ画像の部分領域を指定する。この解析処理は、たとえば、既定の組織（視神経乳頭、黄斑、層組織、血管等）に相当する画像領域を特定する処理や、病変に相当する画像領域を特定する処理などを含む。また、解析処理は、ＯＣＴ画像の画素値（輝度値）に基づく閾値処理や、パターンマッチングなどを含んでいてよい。
【００５３】
領域指定部２４１は、このようにして特定された画像領域の少なくとも一部を含むように部分領域の指定を行う。たとえば、視神経乳頭や黄斑等の特徴部位に相当する画像領域が特定された場合、領域指定部２４１は、特定された画像領域を含む所定の範囲を部分領域として指定することができる。他の例として、網膜色素上皮層（ＲＰＥ）や視細胞内接外接接合部（ＩＳ／ＯＳ）等の層組織に相当する画像が特定された場合、この層組織およびその近傍の層組織に相当する画像領域を部分領域として指定することができる。
【００５４】
さらなる例として、２以上の条件を満足するようにして部分領域を指定することができる。たとえば、黄斑を含むＸＹ方向の所定範囲内においてＩＳ／ＯＳ（および／または外境界膜（ＥＬＭ））に相当する画像領域を含むように部分領域を指定することができる。
【００５５】
このような１以上の条件は、たとえば、疾患名や対象部位等に関連付けられてあらかじめ設定されていてよい。また、当該被検眼について過去に適用された条件を電子カルテ等に記録しておき、これを読み出して適用するように構成することも可能である。
【００５６】
（変位算出部２４２）
変位算出部２４２は、被検眼Ｅの時系列画像が取得された場合に動作する。時系列画像は、異なるタイミングで取得された複数の画像（フレーム）を含む。時系列画像は、たとえば、所定の時間間隔で取得された複数のフレームからなる動画像である。
【００５７】
時系列画像の例としてＯＣＴ動画像がある。ＯＣＴ動画像は、既定の走査パターンでの測定光ＬＳの走査を反復的に実行することにより逐次に取得されるデータに基づく時系列画像である。たとえば走査パターンがラインスキャンである場合、スキャンラインとＺ方向により張られる２次元断面を表す動画像が得られる。或いは、走査パターンが３次元スキャン（ボリュームスキャン）である場合、３次元領域を表す動画像（４次元画像）が得られる。
【００５８】
また、走査の反復は既定の周波数（反復レート）で実行される。この反復レートはＯＣＴ動画像のフレームレートに相当する。なお、連続的に取得されるＮ枚のフレームを重ね合わせて画質の向上を図る場合（Ｎは２以上の整数）、フレームレートは反復レートの１／Ｎとなる。
【００５９】
このようにして取得されるＯＣＴ動画像をリアルタイムで解析したり表示させたりすることが可能である。たとえば、変位算出部２４２による解析処理をリアルタイムで実行することが可能である。
【００６０】
変位算出部２４２は、上記の反復的な走査を行いつつ逐次に取得されるフレームを解析することにより、被検眼Ｅの変位を算出する。被検眼Ｅが静止していると仮定した場合、眼底Ｅｆの同一の部位に対して走査が繰り返し実行される。逆に、反復的な走査中に被検眼Ｅが変位すると、フレームに描出される眼底Ｅｆの部位が変化する。このような現象を利用して被検眼Ｅの変位が算出される。この算出処理の具体例を以下に説明する。
【００６１】
変位算出部２４２は、まず、入力されたフレームを解析することにより、このフレーム中の特徴領域を特定する。特徴領域は、たとえば、視神経乳頭、黄斑、血管などの眼底Ｅｆの既定の部位である。或いは、病変部や治療痕（レーザ治療痕等）を特徴領域として利用することもできる。
【００６２】
次に、変位算出部２４２は、特定された特徴領域の位置（フレームにおける座標）を、それ以前のフレームにおける特徴領域の位置と比較する。なお、最初に解析されるフレームについては、その特徴領域の位置が記録される。この比較処理は、たとえば、連続するフレームの特徴領域の位置を順次に比較することにより、或いは、任意のフレームの特徴領域の位置を基準フレームの特徴領域の位置（基準位置）と比較することにより実行される。
【００６３】
連続するフレームの特徴領域の位置を順次に比較する処理は、たとえば次のようにして実行される。逐次に取得されるフレームをＦｎ（ｎ＝１，２，３，・・・）で表す。最初のフレームＦ１については、その特徴領域の位置Ｐ１が取得されて記録される。第２のフレームＦ２については、フレームＦ２の特徴領域の位置Ｐ２が取得され、位置Ｐ１と位置Ｐ２との変位ΔＰ（１，２）が算出される。一般に、ｎ≧２について、フレームＦｎの特徴領域の位置Ｐｎが取得され、位置Ｐ（ｎ−１）と位置Ｐｎとの変位ΔＰ（ｎ−１，ｎ）が算出される。
【００６４】
任意のフレームの特徴領域の位置を基準フレームの特徴領域の位置（基準位置）と比較する処理は、たとえば次のようにして実行される。逐次に取得されるフレームをＦｎ（ｎ＝１，２，３，・・・）で表す。最初のフレームＦ１については、その特徴領域の位置Ｐ１が取得されて記録される。第２のフレームＦ２については、フレームＦ２の特徴領域の位置Ｐ２が取得され、位置Ｐ１と位置Ｐ２との変位ΔＰ（１，２）が算出される。一般に、ｎ≧２について、フレームＦｎの特徴領域の位置Ｐｎが取得され、位置Ｐ１と位置Ｐｎとの変位ΔＰ（１，ｎ）が算出される。
【００６５】
変位算出部２４２により算出可能な変位の次元は、ＯＣＴ動画像のフレームの次元に対応する。たとえば、各フレームが２次元断面像である場合、このスキャンライン（ＸＹ面と２次元断面との交線）に沿う方向における変位と、Ｚ方向における変位とを求めることが可能である。また、各フレームが３次元画像である場合には、３次元的な変位を求めることが可能である。
【００６６】
〔ユーザインターフェイス３００〕
ユーザインターフェイス３００には、表示部３１０と操作部３２０とが含まれる。表示部３１０は、液晶ディスプレイ等の表示デバイスを含む。表示部３１０は「表示手段」の一例である。表示手段は眼底撮影装置の外部に設けられていてもよい。操作部３２０は、たとえば、眼底撮影装置１の筐体や外部に設けられた各種のボタンやキーを含む。表示部３１０と操作部３２０は、それぞれ個別のデバイスとして構成される必要はない。たとえばタッチパネルのように、表示機能と操作機能とが一体化されたデバイスを用いることも可能である。その場合、操作部３２０は、タッチパネルとコンピュータプログラムとを含んで構成される。操作部３２０に対する操作内容は、電気信号として制御部２１０に入力される。また、表示部３１０に表示されたグラフィカルユーザインターフェイス（ＧＵＩ）と、操作部３２０とを用いて、操作や情報入力を行うようにしてもよい。
【００６７】
［動作］
実施形態に係る眼底撮影装置１の動作について説明する。以下、いくつかの典型的な動作例を説明する。
【００６８】
〔第１の動作例〕
ＳＬＯ画像とＯＣＴ画像とを対応付けて表示するための動作例を説明する。ここでは、双方の画像の位置を対応付けて表示する動作例について説明する。
【００６９】
ＳＬＯ画像とＯＣＴ画像との間の位置の対応付けは、ＳＬＯ画像を取得するための超短パルスレーザ光の走査範囲と、ＯＣＴ画像を取得するための測定光ＬＳの走査範囲とに基づいて行われる。この実施形態においては、ＳＬＯ光学系１０の光路とＯＣＴ光学系１００の光路とがダイクロイックミラー１８により同軸に合成されているので、超短パルスレーザ光の走査位置と測定光ＬＳの走査位置とを対応付けることが可能である。
【００７０】
たとえば、ＸＹＺスキャナ１５のＸＹスキャナによる走査中心をＳＬＯ光学系１０の光軸方向に設定し、かつ、ＸＹＺスキャナ４０のＸＹスキャナによる走査中心をＯＣＴ光学系１００の光軸方向に設定し、これら走査中心同士を対応付けておく。さらに、超短パルスレーザ光の任意の走査方向を走査中心を基準として認識し、かつ、測定光ＬＳの任意の走査方向を走査中心を基準として認識するよう構成する。それにより、走査中心同士の対応付けを介して、超短パルスレーザ光の任意の走査方向に対応する測定光ＬＳの走査方向を取得でき、逆に、測定光ＬＳの任意の走査方向に対応する超短パルスレーザ光の走査方向を取得できる。すなわち、ＳＬＯ画像におけるＸＹ座標と、ＯＣＴ画像におけるＸＹ座標との対応付けが可能である。以上のような設計に基づき、たとえば、ＸＹＺスキャナ１５の偏向ミラーの向きとＸＹＺスキャナ４０の偏向ミラーの向きとをあらかじめ対応付けることが可能である。本例において、偏向ミラーの偏向可能範囲の中心位置が走査中心に相当する。
【００７１】
また、ＸＹＺスキャナ１５のＺスキャナの状態（たとえば合焦レンズの位置）と、ＸＹＺスキャナ４０のＺスキャナの状態（たとえば合焦レンズの位置）とを対応付けておくことにより、一方のＺスキャナの状態から他方のＺスキャナの状態を取得することができる。それにより、ＳＬＯ画像におけるＺ座標と、ＯＣＴ画像におけるＺ座標との対応付けが可能となる。
【００７２】
上記のようなＸＹＺスキャナ１５および４０の対応付けを行わなくても、ＳＬＯ画像およびＯＣＴ画像を解析することにより双方の画像の位置関係を求めることができる。この処理は、たとえば、ＳＬＯ画像の特徴領域を特定する処理と、ＯＣＴ画像の特徴領域を特定する処理と、双方の特徴領域の位置を合わせることにより双方の画像の位置関係を求める処理とを含む。
【００７３】
この実施形態において、ＳＬＯ画像に描出される眼底Ｅｆの領域（ＳＬＯ走査領域）と、ＯＣＴ画像に描写される眼底Ｅｆの領域（ＯＣＴ走査領域）とは、互いの少なくとも一部が重なっている。特に、以下の典型的な動作例においては、ＳＬＯ走査領域はＯＣＴ走査領域に含まれているものとする。
【００７４】
一の典型的な例において、ＳＬＯ画像およびＯＣＴ画像はそれぞれ正面画像である。図４Ａに符号Ｇ１で示す画像はＯＣＴ正面画像であり、符号Ｈ１で示す画像はＳＬＯ正面画像である。表示制御部２１１（またはデータ処理部２４０）は、上記の処理を実行することにより、ＯＣＴ正面画像Ｇ１とＳＬＯ正面画像Ｈ１との位置関係を求める。そして、表示制御部２１１は、この位置関係に基づいてＯＣＴ画像Ｇ１上にＳＬＯ画像Ｈ１を重ねて表示させる。この表示制御は、たとえばレイヤ機能を用いて行われる。このときの不透明度（アルファ値）は事前にまたは任意に設定される。このような処理により表示される合成画像を図４Ｂに示す。
【００７５】
合成画像は、ＯＣＴ画像Ｇ１にＳＬＯ画像Ｈ１を重ねて表示されたものには限定されない。たとえば、ＳＬＯ画像Ｈ１に描出されている範囲を表す情報（描出範囲情報）をＯＣＴ画像Ｇ１に重ねて表示させるよう構成できる。描出範囲情報は、たとえば、図４Ｃに示すような、ＳＬＯ画像Ｈ１に描出される眼底Ｅｆの領域の境界を表す境界画像ｈ１である。このような合成画像が表示される場合、合成画像とＳＬＯ画像Ｈ２とを並べて表示させることが可能である。それにより、ＳＬＯ画像Ｈ２に描出されている範囲がＯＣＴ画像Ｈ１のどこに相当するか容易に把握できる。
【００７６】
他の典型的な例において、ＳＬＯ画像およびＯＣＴ画像はそれぞれ３次元画像である。この場合、３次元ＳＬＯ画像は、ＳＬＯにより取得されたボリュームデータをレンダリングすることにより表示され、かつ、３次元ＯＣＴ画像は、ＯＣＴにより取得されたボリュームデータをレンダリングすることにより表示される。本例では、ＳＬＯにより取得されたボリュームデータ（ＳＬＯボリュームデータ）と、ＯＣＴにより取得されたボリュームデータ（ＯＣＴボリュームデータ）との位置関係が求められる。なお、レンダリングされた画像同士の位置関係を取得するよう構成することも可能である。
【００７７】
図５Ａにおいて、符号Ｇ２はＯＣＴボリュームデータを示し、符号Ｈ２はＳＬＯボリュームデータを示す。表示制御部２１１（またはデータ処理部２４０）は、上記の処理を実行することにより、ＯＣＴボリュームデータＧ２とＳＬＯボリュームデータＨ２との位置関係を求める。このような処理により求められたボリュームデータ同士の位置関係を図５Ｂに示す。表示制御部２１１は、この位置関係に基づいて、ＯＣＴボリュームデータＧ２のレンダリング画像とＳＬＯボリュームデータＨ２のレンダリング画像とを重ねて表示させる。
【００７８】
或いは、表示制御部２１１は、ＳＬＯボリュームデータＨ２のレンダリング画像に描出されている範囲を表す描出範囲情報を、ＯＣＴボリュームデータＧ２のレンダリング画像に重ねて表示させるよう構成できる。このような合成画像が表示される場合、合成画像と、ＳＬＯボリュームデータＨ２のレンダリング画像とを並べて表示させることが可能である。
【００７９】
〔第２の動作例〕
本例においても、ＳＬＯ画像とＯＣＴ画像との位置関係が確立されているとする。表示制御部２１１は、ＳＬＯ画像とＯＣＴ画像とを表示させる。たとえば、ＳＬＯ画像とＯＣＴ画像とが並べて表示される。ユーザは、操作部３２０を用いて、ＳＬＯ画像中の位置を指定する。この指定操作は、たとえば、マウスを用いたクリック操作またはドラッグ操作である。或いは、この指定操作は、所定のマーク（円形マーク、矩形マーク等）を画像上の所望の位置に配置させる操作などであってよい。
【００８０】
表示制御部２１１は、ＳＬＯ画像とＯＣＴ画像との位置関係に基づいて、ＳＬＯ画像中に指定された位置に対応するＯＣＴ画像中の位置を特定する。さらに、表示制御部２１１は、特定された位置を表す情報、つまり、指定位置に対応する位置を表す情報（対応位置情報）をＯＣＴ画像とともに表示させる。対応位置情報は、たとえば、指定位置を示す既定形状の画像（枠状画像、矢印状画像等）である。また、表示制御部２１１は、指定位置に対応するＯＣＴ画像の部分画像を拡大表示させることが可能である。
【００８１】
〔第３の動作例〕
第１および第２の動作例は、既に取得されたＳＬＯ画像およびＯＣＴ画像の観察、または現に取得されているＳＬＯ画像およびＯＣＴ画像の観察に適用可能である。これに対し、第３の動作例は、少なくともＯＣＴ画像が既に取得された場合、または少なくともＯＣＴ画像が現に取得されている場合に適用される。第３の動作例の流れを図６に示す。
【００８２】
（Ｓ１：ＯＣＴ画像を表示する）
まず、眼底ＥｆのＯＣＴ画像が表示部３１０に表示される。このＯＣＴ画像は、既に取得された静止画像または動画像でもよいし、リアルタイムで取得されている動画像でもよい。
【００８３】
（Ｓ２：ユーザがＯＣＴ画像の部分領域を指定する）
ユーザは、ステップＳ１で表示された（または表示されている）ＯＣＴ画像中の所望の領域（部分領域）を、操作部３２０を用いて指定する。指定される部分領域は、ＯＣＴ画像の一部でもよいし全部でもよい。
【００８４】
（Ｓ３：指定された部分領域に対応するＳＬＯ走査領域を特定する）
前述したように、超短パルスレーザ光の走査位置と測定光ＬＳの走査位置とはあらかじめ対応付けられている。走査制御部２１２は、この対応付けに基づいて、ステップＳ２で指定された部分領域に対応するＳＬＯの走査領域を特定する。このＳＬＯ走査領域は、少なくともＸＹ方向における超短パルスレーザ光の走査範囲を含む。Ｚ方向については、既定の走査範囲を適用することもできるし、Ｚ方向におけるＯＣＴ画像の描出範囲から走査範囲を設定することもできる。
【００８５】
（Ｓ４：特定されたＳＬＯ走査領域を走査する）
走査制御部２１２は、ステップＳ３で特定されたＳＬＯ走査領域を超短パルスレーザ光で走査するようにＳＬＯ光学系１０を制御する。
【００８６】
（Ｓ５：ＳＬＯ画像を形成する）
ＳＬＯ画像形成部２２０は、ステップＳ４で収集されたデータに基づいて、眼底ＥｆのＳＬＯ画像を形成する。
【００８７】
（Ｓ６：ＳＬＯ画像を表示する）
表示制御部２１１は、ステップＳ５で形成されたＳＬＯ画像を表示部３１０に表示させる。このＳＬＯ画像は、たとえば、ステップＳ１で表示されたＯＣＴ画像と並べて表示される。この場合、ＳＬＯ画像の描出範囲を表す描出範囲情報をＯＣＴ画像とともに表示させることができる。或いは、ＳＬＯ画像をＯＣＴ画像に重ねて表示させることも可能である。
【００８８】
〔第４の動作例〕
第３の動作例では、ＯＣＴ画像の部分領域を手作業で指定している。これに対し、第４の動作例では、ＯＣＴ画像の部分領域を自動で指定する場合について説明する。第４の動作例が適用される場合、領域指定部２４１が設けられる。第４の動作例の流れを図７に示す。
【００８９】
（Ｓ１１：ＯＣＴ画像を取得する）
まず、眼底撮影装置１は、ＯＣＴ光学系１０およびＯＣＴ画像形成部２３０によって眼底ＥｆのＯＣＴ画像を取得する。このＯＣＴ画像は、静止画像でも動画像でもよい。また、このＯＣＴ画像を表示させてもよいし、表示させなくてもよい。
【００９０】
（Ｓ１２：ＯＣＴ画像を解析して部分領域を指定する）
領域指定部２４１は、ステップＳ１１で取得された（または取得されている）ＯＣＴ画像を解析することにより、このＯＣＴ画像の部分領域を指定する。指定される部分領域は、ＯＣＴ画像の一部でもよいし全部でもよい。
【００９１】
（Ｓ１３：指定された部分領域に対応するＳＬＯ走査領域を特定する）
走査制御部２１２は、超短パルスレーザ光の走査位置と測定光ＬＳの走査位置との既定の対応付けに基づいて、ステップＳ１２で指定された部分領域に対応するＳＬＯの走査領域を特定する。
【００９２】
（Ｓ１４：特定されたＳＬＯ走査領域を走査する）
走査制御部２１２は、ステップＳ１３で特定されたＳＬＯ走査領域を超短パルスレーザ光で走査するようにＳＬＯ光学系１０を制御する。
【００９３】
（Ｓ１５：ＳＬＯ画像を形成する）
ＳＬＯ画像形成部２２０は、ステップＳ１４で収集されたデータに基づいて、眼底ＥｆのＳＬＯ画像を形成する。
【００９４】
（Ｓ１６：ＳＬＯ画像を表示する）
表示制御部２１１は、ステップＳ１５で形成されたＳＬＯ画像を表示部３１０に表示させる。
【００９５】
〔第５の動作例〕
第５の動作例ではトラッキングについて説明する。トラッキングとは、被検眼Ｅの運動に合わせて装置光学系を移動させたり走査位置を制御したりする動作である。トラッキングを行う場合には、事前にアライメントとピント合わせが実行される。アライメントは、公知のアライメント光学系を用いて行われる（図示省略）。ピント合わせは、公知のフォーカス光学系（図示省略）やＯＣＴ光学系１００を用いて行われる。トラッキングは、被検眼Ｅのリアルタイム時系列画像に基づき被検眼Ｅの位置や向きの変化を取得しつつ、装置光学系の移動や走査位置の制御をリアルタイムで実行することにより、アライメントとピントが合った好適な位置関係を維持する機能である。
【００９６】
第５の動作例では、リアルタイムＯＣＴ動画像を利用してトラッキングが行われる。なお、アライメントやピント合わせは、公知の手法によって既に実施されたものとする。第５の動作例が適用される場合、変位算出部２４２が設けられる。第５の動作例の流れを図８に示す。
【００９７】
（Ｓ２１：ＯＣＴ動画像の取得を開始する）
まず、ＯＣＴ動画像の取得を開始する。ＯＣＴ動画像は、ＯＣＴ光学系１０が既定の走査パターンで測定光ＬＳの走査を反復的に実行し、それにより逐次に取得されるデータに基づくＯＣＴ画像（フレーム）をＯＣＴ画像形成部２３０が形成することによって取得される。
【００９８】
（Ｓ２２：被検眼の変位の算出を開始する）
ＯＣＴ動画像の取得が開始されると、変位算出部２４２は、逐次に取得されるフレームを解析することにより被検眼Ｅの変位を算出する。
【００９９】
（Ｓ２３：被検眼の変位に基づくＳＬＯの走査制御を開始する）
ＳＬＯ光学系１０による走査パターンはあらかじめ設定されている。走査制御部２１２は、ステップＳ２２で逐次に算出される被検眼Ｅの変位をキャンセルするように走査パターンを変更しつつ超短パルスレーザ光の走査を行う。この走査制御は、ステップＳ２２で求められた変位方向に求められた変位量だけ走査パターンが移動されるようにＸＹＺスキャナ１５を制御することにより実行される。この走査制御に基づき形成されるＳＬＯ画像は、静止画像でもよいし時系列画像でもよい。
【０１００】
（Ｓ２４：ＯＣＴ動画像およびＳＬＯ画像を表示する）
表示制御部２１１は、ステップＳ２１で取得が開始されたＯＣＴ動画像と、ステップＳ２３の走査制御に応じて取得されるＳＬＯ画像（静止画像または時系列画像）を、表示部３１０に表示させる。
【０１０１】
図８に示す動作例では、ＳＬＯのための超短パルスレーザ光の走査位置を制御することによりトラッキングを行っているが、トラッキングはこれには限定されない。たとえば、走査光学系１０およびＯＣＴ光学系１００を含む光学ユニットを移動するための移動機構と、この移動機構を制御する移動制御部とが設けられている場合、ステップＳ２２で逐次に算出される被検眼Ｅの変位をキャンセルするように光学ユニットを移動しつつ超短パルスレーザ光の走査を行う（つまりＳＬＯを行う）ことが可能である。なお、移動機構と移動制御部については後述する。
【０１０２】
［変形例］
第１の実施形態に係る眼底撮影装置１に関するいくつかの変形例を説明する。
【０１０３】
〔第１の変形例〕
第１の実施形態では、超短パルスレーザ光の走査を制御することによりトラッキングを行う構成について説明した。一方、第１の変形例では、光学系自体を移動することによってトラッキングを行う構成について説明する。
【０１０４】
第１の実施形態に係る構成の例を図９に示す。なお、図９においては、図３Ａおよび図３Ｂに示す構成要素のいくつかが省略されている。たとえば、データ処理部２４０には変位算出部２４２が含まれている。
【０１０５】
第１の変形例に係る眼底撮影装置においては、走査光学系１０およびＯＣＴ光学系１００が光学ユニット４００に格納されている。なお、光学ユニット４００には、走査光学系１０の少なくとも一部およびＯＣＴ光学系１００の少なくとも一部が格納されている。
【０１０６】
光学ユニット４００は移動機構４００Ａによって移動される。移動機構４００Ａは、たとえば、Ｘ方向、Ｙ方向およびＺ方向にそれぞれ独立に光学ユニット４００を移動させるように構成される。移動機構４００Ａは、駆動力を出力する１以上のアクチュエータと、アクチュエータにより出力された駆動力を伝達して光学ユニット４００を移動する機構とを含む。
【０１０７】
制御部２１０は、移動機構４００Ａを制御する移動制御部２１４を含む。移動制御部２１４は、変位算出部２４２により算出された変位に基づいて移動機構４００Ａを制御する。それにより、この変位をキャンセルするように光学ユニット４００が移動される。
【０１０８】
第１の変形例に係る眼底撮影装置により実行されるトラッキング動作の例を図１０に示す。第１の変形例では、第１の実施形態の第５の動作例と同様に、リアルタイムＯＣＴ動画像を利用してトラッキングが行われる。また、アライメントやピント合わせは、公知の手法によって既に実施されたものとする。
【０１０９】
（Ｓ３１：ＯＣＴ動画像の取得を開始する）
まず、第５の動作例と同様に、ＯＣＴ動画像の取得を開始する。
【０１１０】
（Ｓ３２：被検眼の変位の算出を開始する）
ＯＣＴ動画像の取得が開始されると、変位算出部２４２は、逐次に取得されるフレームを解析することにより被検眼Ｅの変位を算出する。この処理は、第１の実施形態と同様にして実行される。
【０１１１】
（Ｓ３３：被検眼の変位に基づく光学ユニットの移動制御を開始する）
移動制御部２１４は、ステップＳ３２で逐次に算出される被検眼Ｅの変位に基づいて移動機構４００Ａを制御することで、この変位がキャンセルされるように光学ユニット４００を移動させる。この移動制御は、ステップＳ３２で求められた変位方向に求められた変位量だけ光学ユニット４００が移動されるように移動機構４００Ａを制御することにより実行される。
【０１１２】
（Ｓ３４：ＳＬＯを実行する）
表示制御部２１１は、ＯＣＴ動画像を表示部３１０に表示させる。ユーザは、ＯＣＴ動画像を確認し、ＳＬＯを開始するための操作を所望のタイミングで行う。この操作を受けた操作部３２０は、制御部２１０に操作信号を送る。この操作信号を受けた制御部２１０は、ＳＬＯ光学系１０を制御して眼底Ｅｆに対するＳＬＯを実行する。或いは、データ処理部２４０がＯＣＴ動画像を解析することによってＳＬＯの開始指示を制御部２１０に送るように構成することも可能である。なお、ステップＳ３４より前の任意の時点でＳＬＯを開始するようにしてもよい。
【０１１３】
（Ｓ３５：ＯＣＴ動画像およびＳＬＯ画像を表示する）
表示制御部２１１は、ステップＳ３１で取得が開始されたＯＣＴ動画像と、ステップＳ３４で取得されたＳＬＯ画像（静止画像または時系列画像）を、表示部３１０に表示させる。
【０１１４】
〔第２の変形例〕
第１の実施形態および第１の変形例では、眼底ＥｆのＯＣＴ動画像を利用したトラッキングについて説明した。一方、第２の変形例では、被検眼Ｅの前眼部Ｅａの動画像（前眼部動画像）を利用してトラッキングを行う構成について説明する。
【０１１５】
第２の変形例に係る眼底撮影装置の構成の例を図１１に示す。第２の変形例に係る眼底撮影装置は、第１の実施形態に係る構成に加えて撮影部２５０を備える。なお、この眼底撮影装置は、図３Ｂに示す構成を備えていてよい。特に、データ処理部２４０には変位算出部２４２が含まれている。
【０１１６】
撮影部２５０は、前眼部Ｅａの動画撮影を行う。撮影部２５０は、たとえば、眼底カメラやスリットランプや前眼部ＯＣＴ等の前眼部撮影機能を有する眼科撮影装置と同様の構成によって実現される。
【０１１７】
たとえば、撮影部２５０は、光源から連続的に出力される赤外光を前眼部Ｅａに照射する光学系と、前眼部Ｅａからの赤外光の戻り光をエリアセンサに導く光学系とを含む。これら光学系は対物レンズ１９を含み、ＳＬＯ光学系１０等と同軸に構成される。
【０１１８】
他の構成例として、撮影部２５０は、ＳＬＯ光学系１０およびＯＣＴ光学系１００と非同軸に設けられたビデオカメラ（たとえば赤外ビデオカメラ）を含む。このビデオカメラは、たとえば、眼底撮影装置の筐体の外面に設けられる。
【０１１９】
撮影部２５０が前眼部ＯＣＴとして機能する場合、ＯＣＴ光学系１００が撮影部２５０として機能するように構成することが可能である。この場合、たとえば、対物レンズ１９と被検眼Ｅとの間に配置可能な前眼部ＯＣＴ用レンズが設けられる。一方、眼底撮影用のＯＣＴ光学系１００とは別に、前眼部ＯＣＴ用の撮影部２５０を設けることが可能である。この場合、撮影部２５０は、光学系と、画像形成部とを含む。この光学系は、光源からの光を測定光と参照光とに分割し、測定光で前眼部Ｅａを既定のパターンで反復的に走査し、前眼部Ｅａからの測定光の戻り光を参照光と重ね合わせて生成される干渉光を逐次に検出する。また、この画像形成部は、この光学系により逐次に取得されたデータに基づいて前眼部Ｅａの画像（フレーム）を形成する。なお、この画像形成部は、ＯＣＴ画像形成部２３０であってもよいし、ＯＣＴ画像形成部２３０とは別に設けられていてもよい。
【０１２０】
データ処理部２４０内の変位算出部２４２は、撮影部２５０により取得された動画像を解析することにより、前眼部Ｅａの変位、すなわち被検眼Ｅの変位を算出する。変位算出部２４２が実行する処理（つまり、動画像から被検眼Ｅの変位を求める処理）は、第１の実施形態と同様であってよい。また、変位算出部２４２により取得された変位に基づいてＸＹＺスキャナ１５または移動機構４００Ａを制御する処理についても、第１の実施形態または第１の変形例と同様であってよい。以上のような構成により、前眼部Ｅａの動画像を利用したトラッキングが実現される。
【０１２１】
なお、前眼部Ｅａを異なる方向から撮影可能な撮影部２５０を適用することで、被検眼Ｅの３次元的な変位を取得することが可能である。この場合、撮影部２５０は、たとえば、眼底撮影装置の筐体の外面に設けられた、２以上のビデオカメラ（たとえば赤外ビデオカメラ）を含む。そして、これらビデオカメラにより実質的に同時に取得された２以上の撮影画像を解析することで、これら撮影画像が取得された時点における被検眼Ｅの３次元位置を求めることが可能である。
【０１２２】
また、前眼部Ｅａの動画像の代わりに眼底Ｅｆの動画像（赤外動画像等）を利用して、上記と同様のトラッキングを実行することが可能である。眼底Ｅｆの動画像は、眼底カメラ等の眼底撮影機能を有する眼科撮影装置と同様の構成によって実現される。
【０１２３】
［効果］
第１の実施形態およびその変形例に係る眼底撮影装置のいくつかの効果について説明する。
【０１２４】
眼底撮影装置は、第１光学系（ＳＬＯ光学系１０）と、第１画像形成部（ＳＬＯ画像形成部２２０）と、波面調整部（波面調整器１７、波面調整制御部２１３）と、第２光学系（ＯＣＴ光学系１００）と、第２画像形成部（ＯＣＴ画像形成部２３０）と、光路合成部（ダイクロイックミラー１８）とを備える。第１光学系は、第１光源（ＳＬＯ光源１１）から出力された超短パルスレーザ光で眼底を走査し、眼底に照射された超短パルスレーザ光による多光子励起過程によって発生された蛍光を検出する。第１画像形成部は、第１光学系により取得されたデータに基づいて眼底の第１画像（ＳＬＯ画像）を形成する。波面調整部は、超短パルスレーザ光の波面を調整する。第２光学系は、第２光源（光源ユニット１０１）からの光を測定光と参照光とに分割し、測定光で眼底を走査し、眼底からの測定光の戻り光を参照光と重ね合わせて生成される干渉光を検出する。第２画像形成部は、第２光学系により取得されたデータに基づいて眼底の第２画像（ＯＣＴ画像）を形成する。光路合成部は、超短パルスレーザ光の光路（ＳＬＯ光学系１０の光路）と、測定光の光路（ＯＣＴ光学系１００の測定アーム）とを合成する。
【０１２５】
このような実施形態によれば、まず、多光子励起ＳＬＯを用いて高分解能の画像を取得できる。さらに、ＯＣＴにより取得された画像を参照することにより、ＳＬＯによる走査位置を指定したり、ＳＬＯ画像に対応する眼底の位置を把握したりすることが可能である。すなわち、ＯＣＴにより別途に取得された画像を利用することで、多光子励起ＳＬＯの撮影範囲の狭さに起因する実用上の問題（たとえば、多光子励起ＳＬＯによる走査位置の指定の困難さや、ＳＬＯ画像により描出されている眼底の位置の把握の困難さ、など）を解決することが可能である。したがって、実施形態に係る眼底撮影装置によれば、分解能の高さと実用性との両立を図ることができる。
【０１２６】
実施形態に係る眼底撮影装置は、表示手段（表示部３１０）に情報を表示するための表示制御部（２１１）を備えていてよい。表示制御部は、第１光学系による超短パルスレーザ光の走査範囲（ＳＬＯの走査範囲）と、第２光学系による測定光の走査範囲（ＯＣＴの走査範囲）とに基づいて、第１画像（ＳＬＯ画像）と第２画像（ＯＣＴ画像）とを位置的に対応付けて表示手段に表示させることができる。
【０１２７】
このような構成によれば、ユーザは、ＳＬＯ画像に描出されている眼底の位置と、ＯＣＴ画像に描出されている眼底の位置とを容易に把握することが可能である。
【０１２８】
表示制御部は、第１画像（ＳＬＯ画像）と第２画像（ＯＣＴ画像）とを重ねて表示させるように構成されてよい。この重ね合わせ表示において、上記の位置的対応に基づいてＳＬＯ画像とＯＣＴ画像との相対位置が決定される。
【０１２９】
このような構成によれば、ユーザは、重ねて表示されているＳＬＯ画像とＯＣＴ画像に基づいてこれら画像の位置関係を直感的に把握することが可能である。
【０１３０】
表示制御部は、第１画像（ＳＬＯ画像）および第２画像（ＯＣＴ画像）の一方の画像に描出されている範囲を表す描出範囲情報を、他方の画像とともに表示させるように構成されてよい。描出範囲情報の例として境界画像ｈ１がある。
【０１３１】
このような構成によれば、ユーザは、描出範囲情報に基づいて、ＳＬＯ画像とＯＣＴ画像との位置関係を直感的に把握することが可能である。
【０１３２】
実施形態に係る眼底撮影装置は、操作部（３２０）を備えていてよい。操作部は、表示手段に表示されている第１画像（ＳＬＯ画像）および第２画像（ＯＣＴ画像）の一方の画像中の位置を指定するために用いられる。操作部により一方の画像中の位置が指定されたときに、表示制御部は、この指定位置に対応する他方の画像中の位置を表す対応位置情報を、他方の画像とともに表示させることができる。対応位置情報は、たとえば、指定位置を示す既定形状の画像（枠状画像、矢印状画像等）である。
【０１３３】
このような構成によれば、ＳＬＯ画像中の注目領域に対応するＯＣＴ画像中の領域を容易に把握でき、また、ＯＣＴ画像中の注目領域に対応するＳＬＯ画像中の領域を容易に把握できる。たとえば、ＳＬＯ画像を参照して得られた病変候補部位がどのような形態であるか把握したいことがある。実施形態によれば、ユーザがＳＬＯ画像中の病変候補部位を指定すると、この病変候補部位に対応するＯＣＴ画像中の領域が認識可能に提示されるので、この病変候補部位の形態を容易に把握することが可能である。
【０１３４】
第１光学系（ＳＬＯ光学系１０）が、眼底の第１領域を超短パルスレーザ光で走査し、かつ、第２光学系（ＯＣＴ光学系１００）が、第１領域を含む第２領域を測定光で走査するように構成してよい。すなわち、ＯＣＴの走査範囲がＳＬＯの走査範囲を含むように双方の走査を行うことが可能である。
【０１３５】
このような構成によれば、比較的狭域のＳＬＯ画像と、比較的広域のＯＣＴ画像とが得られる。したがって、ＳＬＯ画像が眼底のどの位置を描出しているかをＯＣＴ画像に基づいて把握することが可能である。
【０１３６】
実施形態に係る眼底撮影装置は、表示制御部（２１１）と、操作部（３２０）とを備えていてよい。表示制御部は、第２画像形成部（ＯＣＴ画像形成部２３０）により形成された第２画像（ＯＣＴ画像）を表示手段に表示させる。操作部は、表示手段に表示されている第２画像（ＯＣＴ画像）中の部分領域を指定するために用いられる。さらに、第１光学系（ＳＬＯ光学系１０）は、操作部を用いて指定された部分領域に相当する眼底の領域を超短パルスレーザ光で走査するように構成されてよい。
【０１３７】
このような構成によれば、表示されているＯＣＴ画像中の注目領域を指定するだけで、この注目領域のＳＬＯ画像を取得することができる。
【０１３８】
実施形態に係る眼底撮影装置は、第２画像形成部（ＯＣＴ画像形成部２３０）により形成された第２画像（ＯＣＴ画像）を解析することにより、この第２画像中の部分領域を指定する領域指定部（２４１）を備えていてよい。さらに、第１光学系（ＳＬＯ光学系１０）は、領域指定部により指定された部分領域に相当する眼底の領域を超短パルスレーザ光で走査するように構成されてよい。
【０１３９】
このような構成によれば、ＯＣＴ画像を解析して自動で指定された注目領域のＳＬＯ画像を取得することが可能である。
【０１４０】
実施形態において、第２光学系（ＯＣＴ光学系１００）が、既定の走査パターンでの測定光の走査を反復的に実行し、かつ、第２画像形成部が、この反復的な走査において第２光学系より逐次に取得されるデータに基づく時系列画像を生成するように構成されてよい。さらに、実施形態に係る眼底撮影装置は、この時系列画像を解析することにより被検眼の変位を算出する変位算出部（２４２）を備えていてよい。
【０１４１】
このような構成によれば、ＯＣＴ動画像等の時系列画像に基づいて、被検眼の運動状態（被検眼の位置の経時変化）を把握することが可能である。
【０１４２】
実施形態に係る眼底撮影装置は、眼底または前眼部を動画撮影する撮影部（２５０）と、撮影部により取得された動画像を解析することにより被検眼の変位を算出する変位算出部（２４２）とを備えていてよい。
【０１４３】
このような構成によれば、眼底または前眼部の動画像に基づいて、被検眼の運動状態（被検眼の位置の経時変化）を把握することが可能である。
【０１４４】
実施形態に係る眼底撮影装置は、移動機構（４００Ａ）と、移動制御部（２１４）とを備えていてよい。移動機構は、第１光学系（ＳＬＯ光学系１０）および第２光学系（ＯＣＴ光学系１００）を含む光学ユニット（４００）を移動する。移動制御部は、変位算出部（２４２）により算出された被検眼の変位に基づいて移動機構を制御する。
【０１４５】
このような構成によれば、被検眼の変位に応じて第１光学系および第２光学系を移動することができる。特に、時系列画像（動画像）に基づいてこのような処理を実行することで、被検眼の動きに応じたトラッキングを行うことが可能である。
【０１４６】
実施形態に係る眼底撮影装置は、走査制御部（２１２）を備えていてよい。走査制御部は、変位算出部（２４２）により算出された被検眼の変位に基づいて、第１光学系（ＳＬＯ光学系１０）による超短パルスレーザ光の走査位置を変更する。なお、ＯＣＴ光学系に対して同様の制御を行うことが可能である。すなわち、走査制御部は、変位算出部により算出された被検眼の変位に基づいて、第２光学系（ＯＣＴ光学系１００）による測定光の走査位置を変更することができる。
【０１４７】
このような構成によれば、超短パルスレーザ光（測定光）の走査位置を被検眼の変位に応じて変更することができる。特に、時系列画像（動画像）に基づいてこのような処理を実行することで、被検眼の動きに応じたトラッキングを行うことが可能である。
【０１４８】
〈第２の実施形態〉
第１の実施形態では、超短パルスレーザ光についてのみ波面調整を行っているが、測定光の波面調整も行うように構成することが可能である。第２の実施形態では、このような構成について説明する。なお、第１の実施形態と同様の機能を有する手段には同じ符号を付すこととし、その説明は適宜省略される。
【０１４９】
第２の実施形態に係る眼底撮影装置の構成の例を図１２に示す。眼底撮影装置１０００が第１の実施形態（図１を参照）と異なる点は、光路合成部と波面調整部の配置である。すなわち、第１の実施形態では、対物レンズ１９と波面調整器１７との間にダイクロイックミラー１８が配置されているのに対し、第２の実施形態では、対物レンズ１９とダイクロイックミラー１８Ａとの間に波面調整器１７Ａが配置されている。
【０１５０】
ダイクロイックミラー１８Ａは、超短パルスレーザ光の光路（ＳＬＯ光学系１０の光路）と、測定光の光路（ＯＣＴ光学系１００の測定アーム）とを合成する光路合成部として機能する。
【０１５１】
波面調整器１７Ａは、たとえば、形状可変ミラーまたは液晶波面調整器を含む。波面調整器１７Ａに関する制御は、第１の実施形態と同様であってよい。
【０１５２】
このように、第２の実施形態においては、超短パルスレーザ光の光路と測定光の光路とが合成された光路に波面調整器１７Ａが配置される。したがって、波面調整器１７Ａは、超短パルスレーザ光の波面調整と、測定光の波面調整とを行うことが可能である。すなわち、眼底撮影装置１０００は、多光子励起ＳＬＯに関する補償光学の機能と、ＯＣＴに関する補償光学の機能とを具備している。したがって、ＳＬＯの分解能の向上だけでなく、ＯＣＴの分解能の向上も実現することが可能である。
【０１５３】
〈第３の実施形態〉
実施形態に係る眼底撮影装置は、上記のように眼底を画像化する機能を有しているが、他の機能をさらに備えていてもよい。この機能の例として、被検眼に光刺激を与える機能や、被検眼の光治療を行う機能がある。光刺激は、たとえば、視力が機能している範囲を求めるための視野検査において適用される。また、光刺激に有無や強度に応じた画像の変化を解析することで、光刺激に対する視細胞の反応を検査することも可能である。光治療としては、レーザ光凝固や光線力学的治療法（ＰＤＴ）などがある。
【０１５４】
以下、このような機能を第１の実施形態に組み合わせた場合について説明する。第１の実施形態と同様の機能を有する手段には同じ符号を付すこととし、その説明は適宜省略される。なお、第２の実施形態と第３の実施形態とを組み合わせることも可能である。
【０１５５】
第３の実施形態に係る眼底撮影装置の構成の例を図１３および図１４に示す。眼底撮影装置２０００が第１の実施形態（図１を参照）と異なる点は、照射光学系５０が設けられていることである。
【０１５６】
照射光学系５０は、たとえば、光刺激のための光を眼底Ｅｆに照射する。或いは、照射光学系５０は、光凝固のための光を眼底Ｅｆに照射する。図１３に示すように、照射光学系５０は、光源５１と、レンズ５２と、ＸＹスキャナ５３と、焦点移動部５４と、ビームスプリッタ５５とを含む。
【０１５７】
光源５１は、適用される機能に応じた特性（波長、強度等）の光を出力する。光源５１から出力された光は、レンズ５２により平行光束とされてＸＹスキャナ５３に入射する。ＸＹスキャナ５３は、光を偏向する機能を有する。ＸＹスキャナ５３は、たとえば、互いに直交する一対の１軸偏向ミラー、または２軸偏向ミラーを含む。偏向ミラーとしては、ガルバノミラー、ＭＥＭＳミラー、レゾナントミラー、ポリゴンミラーなどが用いられる。ＸＹスキャナ５３は偏向部の一例として機能する。
【０１５８】
ＸＹスキャナ５３による作用を受けた光は、焦点移動部５４に入射する。焦点移動部５４は、光の焦点位置をＺ方向に変更する。焦点移動部５４は、たとえば、照射光学系５０の光軸に沿って移動可能なレンズ（合焦レンズ、焦点移動レンズ）を含む。
【０１５９】
焦点移動部５４による作用を受けた光は、ビームスプリッタ５５により反射される。ビームスプリッタ５５は、ＳＬＯ光学系１０が形成する光路と、照射光学系５０が形成する光路とを合成する。ビームスプリッタ５５の種別は、照射光学系５０が提供する機能に応じてあらかじめ決定される。たとえば、ビームスプリッタ５５の種別は、照射光学系５０によって眼底Ｅｆに照射される光の波長に応じて決定される。ビームスプリッタ５５としては、たとえば、ハーフミラー、ダイクロイックミラー、または偏光ビームスプリッタが適用される。
【０１６０】
図１４は、眼底撮影装置２０００の制御系の構成の例を示す。なお、図１４においては、図３Ａおよび図３Ｂに示す構成要素のいくつかが省略されている。
【０１６１】
データ処理部２４０には照射目標設定部２４３が設けられている。照射目標設定部２４３は、ＳＬＯ画像およびＯＣＴ画像の少なくとも一方に基づいて照射目標を設定する。照射制御部２１５は、たとえば、ＳＬＯ画像および／またはＯＣＴ画像を解析することにより、光刺激を付与する対象となる部位や、光凝固の対象となる部位を特定する。特定された部位が照射目標として設定される。照射目標設定部２４３は、設定部の一例として機能する。
【０１６２】
なお、ＳＬＯ画像および／またはＯＣＴ画像を表示部３１０に表示させ、ユーザが操作部３２０を用いて照射目標を設定するように構成することも可能である。
【０１６３】
制御部２１０には照射制御部２１５が設けられている。照射制御部２１５は、照射光学系５０の制御を行う。たとえば、照射制御部２１５は、光源５１、ＸＹスキャナ５３、および焦点移動部５４のそれぞれの動作を制御する。
【０１６４】
照射制御部２１５は、照射目標設定部２４３（またはユーザ）により設定された照射目標に基づいてＸＹスキャナ５３を制御することができる。また、照射目標設定部２１５は、照射目標設定部２４３またはユーザにより設定された照射目標に基づいて焦点移動部５４を制御することができる。
【０１６５】
照射目標設定部２４３またはユーザにより設定された照射目標は、画像中の位置（画素の位置）を表す情報を含む。画像の位置は、ＸＹＺスキャナ１５やＸＹＺスキャナ４０の走査位置に対応している。また、照射光学系５０は、ＳＬＯ光学系１０およびＯＣＴ光学系１００の双方と同軸に配置されている。よって、画像の位置情報（Ｘ座標、Ｙ座標、Ｚ座標）に基づいて、ＸＹスキャナ５３による走査位置（Ｘ座標、Ｙ座標）と、焦点移動部５４により規定される焦点位置（Ｚ座標）とを求めることができる。照射制御部２１５は、求められたＸＹ走査位置に基づいてＸＹスキャン５３を制御することができ、また、求められた焦点位置に基づいて焦点移動部５４を制御することができる。
【０１６６】
このような構成を備える第３の実施形態によれば、多光子励起ＳＬＯにより得られた画像やＯＣＴにより得られた画像に基づいて、光刺激を用いた検査や、光凝固治療を行うことが可能である。
【０１６７】
［変形例］
以上に説明した構成は、この発明を好適に実施するための一例に過ぎない。よって、この発明の要旨の範囲内における任意の変形（省略、置換、付加等）を適宜に施すことが可能である。
【０１６８】
上記の実施形態においては、超短パルスレーザ光を走査するための手段（ＸＹＺスキャナ１５）と、測定光を走査するための手段（ＸＹＺスキャナ４０）とが別々に設けられているが、単一の手段によって超短パルスレーザ光の走査と測定光の走査とを行うように構成することが可能である。
【０１６９】
上記の実施形態を実現するためのコンピュータプログラムを、コンピュータによって読み取り可能な任意の記録媒体に記憶させることができる。この記録媒体としては、たとえば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。
【０１７０】
また、インターネットやＬＡＮ等のネットワークを通じてこのプログラムを送受信することも可能である。
【符号の説明】
【０１７１】
１、１０００、２０００  眼底撮影装置
１０  ＳＬＯ光学系
１１  ＳＬＯ光源
１５  ＸＹＺスキャナ
１７、１７Ａ  波面調整器
１８、１８Ａ  ダイクロイックミラー
２５Ａ、２５Ｂ  検出器
４０  ＸＹＺスキャナ
１００  ＯＣＴ光学系
１０１  光源ユニット
１２５  検出器
２００  演算制御部
２１０  制御部
２１１  表示制御部
２１２  走査制御部
２１３  波面調整制御部
２１４  移動制御部
２１５  照射制御部
２２０  ＳＬＯ画像形成部
２３０  ＯＣＴ画像形成部
２４０  データ処理部
２４１  領域指定部
２４２  変位算出部
２４３  照射目標設定部
２５０  撮影部
３００  ユーザインターフェイス
３１０  表示部
３２０  操作部
Ｅ  被検眼
Ｅｆ  眼底
【図１】
2016041222.tif 000003
【図２】
2016041222.tif 000004
【図３Ａ】
2016041222.tif 000005
【図３Ｂ】
2016041222.tif 000006
【図４Ａ】
2016041222.tif 000007
【図４Ｂ】
2016041222.tif 000008
【図４Ｃ】
2016041222.tif 000009
【図５Ａ】
2016041222.tif 000010
【図５Ｂ】
2016041222.tif 000011
【図６】
2016041222.tif 000012
【図７】
2016041222.tif 000013
【図８】
2016041222.tif 000014
【図９】
2016041222.tif 000015
【図１０】
2016041222.tif 000016
【図１１】
2016041222.tif 000017
【図１２】
2016041222.tif 000018
【図１３】
2016041222.tif 000019
【図１４】
2016041222.tif 000020